(57)【要約】      （修正有）【課題】ドライブ装置側のメモリーリーダが、カートリッジ装填口の奥端付近に設置されている場合でも、ドライブ装置側、およびライブラリーマシーン側のメモリーリーダとの間で、読み書き信号の送信と受信とを確実に行う。【解決手段】前後に配された一対のガイドローラ２２・２３のまわりに無端ベルト２５を巻装し、この無端ベルト２５にメモリーカートリッジＭを固定する。ドライブ装置へのデータカートリッジの差し込み装填に伴って、ドライブ装置側の操作部材に係合捕捉されたスライダー３３が、装填始端側から装填後端側へ移動し、これに伴って無端ベルト２５が回転操作されて、メモリーカートリッジＭは、ライブラリーマシーン側のメモリーリーダとの間で無線接続状態を確立できる第１通信位置から、ドライブ装置側のメモリーリーダとの間で無線接続状態を確立できる第２通信位置に変位移動する。【選択図】図１
2005293625.tif 000002
【特許請求の範囲】
【請求項１】
ケース本体の内部に、情報記録媒体と、非接触型のメモリーカートリッジとが配置されていて、前記メモリーカートリッジがライブラリーマシーンおよびドライブ装置側のメモリーリーダとの間で無線接続状態となることによって、メモリーカートリッジ内の各種データを読み書きできるデータカートリッジにおいて、
前記メモリーカートリッジが、前記ライブラリーマシーン側のメモリーリーダとの間で無線接続状態を確立する第１通信位置と、前記ドライブ装置側のメモリーリーダと無線接続状態を確立する第２通信位置との間で、前記ケース本体内で変位可能に構成されていることを特徴とするデータカートリッジ。
【請求項２】
前記第１通信位置は、データカートリッジの前記ドライブ装置への装填終端側となる前記ケース本体の後端寄りの位置であり、
前記第２通信位置は、データカートリッジの前記ドライブ装置への装填始端側となる前記ケース本体の前端寄りの位置であり、
前記ケース本体内には、前後一対のガイドローラが軸まわりに回転自在に支持されていて、これらガイドローラの間に無端ベルトが巻装されており、
前記無端ベルトには前記メモリーカートリッジが固定されていて、該無端ベルトの回転操作に伴って、該メモリーカートリッジが前記第１通信位置と前記第２通信位置との間で変位移動できるようにしてある請求項１記載のデータカートリッジ。
【請求項３】
前記ドライブ装置のカートリッジ装填口の開口近傍には、前記メモリーカートリッジを変位移動操作するための操作部材が、該カートリッジ装填口の内部空隙に向けて突設されており、
前記操作部材に対向する前記ケース本体の壁面には、前後方向に長い溝が切り欠き形成されていて、この溝内には、データカートリッジの前記ドライブ装置への差し込み装填時に、前記操作部材で係合捕捉される係合部材が、スライド移動可能に支持されており、
前記係合部材は、前記無端ベルト上における前記メモリーカートリッジの対称位置に装着されていて、前記溝内で前記係合部材がスライド移動されたとき、前記無端ベルトが回転操作されるようになっており、
前記係合部材は、データカートリッジの前記ドライブ装置への差し込み装填前においては、前記装填始端側である前端寄りに位置しており、
前記ドライブ装置へのデータカートリッジの差し込み装填に伴って、前記操作部材に係合捕捉された前記係合部材が前記装填始端側から前記装填後端側へ溝内を移動し、これに伴って前記無端ベルトが回転操作されて、前記メモリーカートリッジが前記第１通信位置から前記第２通信位置に変位移動するようにしてある請求項２記載のデータカートリッジ。
【発明の詳細な説明】
【技術分野】
【０００１】
本発明は、ケース本体の内部に、情報記録媒体と、非接触型のメモリーカートリッジとが配置されていて、そのメモリーカートリッジがライブラリーマシーン、およびドライブ装置側のメモリーリーダとの間で無線接続状態となることによって、メモリーカートリッジ内の各種データを読み書きできるデータカートリッジに関する。
【背景技術】
【０００２】
データカートリッジのケース内部に配置されるメモリーカートリッジには、接触型と、非接触型とがある。いずれも、磁気テープなどの情報記録媒体の特性データや、録画時の設定データ等を読み書きできる。主としてコンピュータのデータ記録媒体として用いられるテープカートリッジにおいても、非接触型のメモリーカートリッジを付加することが検討されており、そこでは、テープに記録されたデータファイルのディレクトリや使用履歴データ等をメモリーカートリッジに記憶させて、より迅速なデータ検索と的確なデータ管理等を実現し、さらにロット番号、テープの仕様や特性等のメーカーデータも併せて記録する。
【０００３】
上記のようなコンピュータデータ記録用のテープカートリッジの一群は、ライブラリーマシーンによって管理されている。この種のライブラリーマシーンにおいては、多数個のテープカートリッジが収納されたラックから、目的のテープカートリッジを取り出して、これを適合するテープドライブに装填する。具体的には、ラックに収められたテープカートリッジを自動化されたライブラリーマシーンのハンド部でつかんでテープドライブに装填する。このとき、ハンド部に設けたアンテナを含むメモリーリーダで、メモリーカートリッジ内の記録データを読み込んでテープカートリッジの仕様やデータの概要を把握し、誤ったテープカートリッジがテープドライブに装填されるのを防ぎ、あるいは形式の異なるテープカートリッジを適合するテープドライブに装填できるようにしている。テープドライブの側にも同様のメモリーリーダを設けてある。
【０００４】
テープカートリッジ内部のメモリーカートリッジの配置位置は、テープドライブおよびライブラリーマシーンにおけるメモリーリーダの配置位置によって決まる。多くの場合は、テープドライブへの装填終端側となるテープカートリッジの後端壁の沿うようメモリーカートリッジを配してある（特許文献１、特許文献２参照）。これは、一般的にライブラリーマシーンはテープカートリッジの後端部をつかむため、当該位置にメモリーカートリッジを配してあると、ライブラリーマシーン側に設けたメモリーリーダとの間で良好な無線接続状態を確保できることによる。また、テープドライブ側においては、上記のメモリーカートリッジの配置位置に合わせて、そのカートリッジ装填口の開口付近にメモリーリーダを設けてある。
【０００５】
【特許文献１】特開２００２−１１７６４３号公報（図１、図４、図６）
【特許文献２】特開２００２−１１７６４４号公報（図１、図３、図５、図６）
【発明の開示】
【発明が解決しようとする課題】
【０００６】
本発明者等は、新規なテープカートリッジの管理システムの開発に携わっており、そこでは、設計上の理由から、テープドライブ側のメモリーリーダをカートリッジ装填口の奥端付近に設置することを予定している。このため、装填終端側にメモリーカートリッジを備える従来形態テープカートリッジでは、テープドライブ側のメモリーリーダとメモリーカートリッジとの間の距離が長く、無線接続状態を確立できないという問題がある。
【０００７】
本発明の目的は、ドライブ装置側のメモリーリーダが、カートリッジ装填口の奥端付近に設置されている場合でも、当該ドライブ装置側、およびライブラリーマシーン側のメモリーリーダとの間で、読み書き信号の送信と受信とを確実に行える、非接触型のメモリーカートリッジを備えたデータカートリッジを提供することにある。
【課題を解決するための手段】
【０００８】
本発明は、図１ないし図３に示すごとく、ケース本体１の内部に、情報記録媒体３と、非接触型のメモリーカートリッジＭとが配置されていて、メモリーカートリッジＭがライブラリーマシーン４３およびドライブ装置４７側のメモリーリーダＲ１・Ｒ２との間で無線接続状態となることによって、メモリーカートリッジＭ内の各種データを読み書きできるデータカートリッジである。
【０００９】
かかるデータカートリッジにおいて、本発明は、図１において実線で示すごとく、メモリーカートリッジＭが、ライブラリーマシーン４３側のメモリーリーダＲ１との間で無線接続状態を確立する第１通信位置（図４参照）と、図１において仮想線で示すごとく、ドライブ装置４７側のメモリーリーダＲ２と無線接続状態を確立する第２通信位置（図５参照）との間で、ケース本体１内で変位可能に構成されていることを特徴とする。
【００１０】
本発明のデータカートリッジには、コンピュータデータのバックアップに供される単リール型のテープカートリッジのほか、ケース本体内に左右一対のリールを備えるテープカートリッジも含まれる。さらに、情報記録媒体３の種別としては、磁気記録テープのほかに、光磁気ディスクなどを挙げることができ、したがって本発明に係るデータカートリッジは、光磁気ディスクなどが内蔵されたディスクカートリッジをも含む概念である。
【００１１】
具体的には、第１通信位置は、データカートリッジのドライブ装置４７への装填終端側となるケース本体１の後端寄りの位置であり、第２通信位置は、データカートリッジのドライブ装置４７への装填始端側となるケース本体の前端寄りの位置である。図１に示すように、ケース本体１内には、前後一対のガイドローラ２２・２３が軸２０・２１まわりに回転自在に支持されていて、これらガイドローラ２２・２３の間に無端ベルト２５が巻装されている。そして、無端ベルト２５にはメモリーカートリッジＭが固定されていて、無端ベルト２５の回転操作に伴って、該メモリーカートリッジＭが第１通信位置と第２通信位置との間で変位移動できるようにする。
【００１２】
図５に示すごとく、ドライブ装置４７のカートリッジ装填口４８の開口近傍には、メモリーカートリッジＭを変位移動操作するための操作部材５２が、カートリッジ装填口４８の内部空隙に向けて突設されている。この操作部材５２に対向するケース本体１の壁面には、前後方向に長い溝３５が切り欠き形成されており、この溝３５内には、データカートリッジのドライブ装置４７への差し込み装填時に、操作部材５２で係合捕捉される係合部材３３が、スライド移動可能に支持されている。
【００１３】
この係合部材３３は、無端ベルト２５上におけるメモリーカートリッジＭの対称位置に装着されていて、溝３５内で係合部材３３がスライド移動されたとき、無端ベルト２５が回転操作されるようになっている。係合部材３３は、データカートリッジのドライブ装置４７への差し込み装填前においては、装填始端側である前端寄りに位置している。
【００１４】
そして、ドライブ装置４７へのデータカートリッジの差し込み装填に伴って、操作部材５２に係合捕捉された係合部材３３が装填始端側から装填後端側へ溝３５内を移動し、これに伴って無端ベルト２５が回転操作されて、メモリーカートリッジＭが第１通信位置から第２通信位置に変位移動するようにする。
【発明の効果】
【００１５】
ライブラリーマシーン４３側のメモリーリーダＲ１との間で無線接続状態を確立する第１通信位置（図４参照）と、ドライブ装置４７側のメモリーリーダＲ２と無線接続状態を確立する第２通信位置（図５参照）との間で、メモリーカートリッジＭをケース本体１内で変位可能に構成したので、ライブラリーマシーン４３側のメモリーリーダＲ１の配設位置およびドライブ装置４７側のメモリーリーダＲ２の配設位置に関係なく、両メモリーリーダＲ１・Ｒ２との間で、読み書き信号の送信と受信とを確実に行える。また、ライブラリーマシーン４３およびドライブ装置４７におけるメモリーリーダＲ１・Ｒ２の配置位置に関して設計上の自由度が向上する。
【００１６】
前後に配された一対のガイドローラ２２・２３のまわりに無端ベルト２５が回転自在に巻装されていて、この無端ベルト２５にメモリーカートリッジＭが固定されていると、簡単な構成でもって確実に、メモリーカートリッジＭを、ケース本体１の後端寄りの第１通信位置と、前端寄りの第２通信位置との間で変位移動させることができる。これはデータカートリッジの全体コストの削減化に貢献できる。
【００１７】
無端ベルト２５上におけるメモリーカートリッジＭの対称位置に、係合部材３３が装着されていて、ドライブ装置４７へのデータカートリッジの差し込み装填に伴って、ドライブ装置４７側の操作部材５２に係合捕捉された係合部材３３が、装填始端側から装填後端側へ溝３５内を移動し、これに伴って無端ベルト２５が回転操作されて、メモリーカートリッジＭが第１通信位置から第２通信位置に変位移動するようにするようにしてあると、モーター等の備えた駆動機構でもって、無端ベルト２５を回転操作するような形態に比べて、全体構造を簡素化でき、データカートリッジを安価に製造できる。
【発明を実施するための最良の形態】
【００１８】
図１ないし図７は、本発明に係るデータカートリッジを単リール型のテープカートリッジに適用した実施例を示す。図２ないし図４においてテープカートリッジは、上下ケース１ａ・１ｂを蓋合わせ状に結合してなる角箱状のケース本体１を有し、ケース本体１内に配置した１個のリール２にテープ（情報記録媒体）３が巻装されている。
【００１９】
ケース本体１の前側壁の一側端（右側端）にはテープ引出口５を設けてある。テープ３の繰り出し端には、テープドライブ側の連結具で捕捉連結される先導体６を設けてある。不使用時の先導体６は、テープ引出口５の内面の上下に設けたキャッチ機構によって、直立する待機姿勢で保持固定される。なお、ここで言う「前方向」とは、テープドライブ（ドライブ装置）４７への装填始端側となる方向を意味し、「後方向」とは、該装填始端側とは反対側の方向（装填終端側の方向）を意味する。
【００２０】
図２に示すように、ケース本体１内は、左右側壁７・９と平行な仕切壁１０で、ケース本体１の大部分を占める主室１１と、該主室１１よりも小さな副室１２とに区分されている。図３に示すように、仕切壁１０は、上下ケース１ａ・１ｂのそれぞれから内向きに突設されていて、突き合わせ接合されている。主室１１は略正四角形を呈しており、その内隅部のうち、テープ引出口４を除く三方の内隅部には、リール２の周縁に沿う部分円弧状の遊動規制壁１３によって、略三角形状の内隅空所Ｓが区画形成されている。これらのうち、ケース本体１の前方左側の内隅空所Ｓには、誤消去防止用の切換ピース１５が配設されている。
【００２１】
図１ないし図４に示すように、副室１２は、前後の側壁１６・１７、左側壁７および仕切壁１０で区画された、前後方向に長い矩形形状を呈しており、その内部に、メモリーカートリッジＭと、該メモリーカートリッジＭを前後方向に変位させる変位機構１９とが組み込まれている。
【００２２】
変位機構１９は、副室１２の前後それぞれの端部に設けられた前後一対の軸２０・２１と、それぞれの軸２０・２１まわりに回転自在に設けられた二本のガイドローラ２２・２３と、これらガイドローラ２２・２３の間に巻装された無端ベルト２５とを備える。無端ベルト２５には、メモリーカートリッジＭが装着固定されており、無端ベルト２５がガイドローラ２２・２３まわりに回転操作されたとき、メモリーカートリッジＭは無端ベルト２５と同行移動して、副室１２内で前後方向に変位移動できるようにしてある。より詳しくは、メモリーカートリッジＭは、図１において実線で示すような、ケース本体１の後端寄りの第１通信位置と、図１において仮想線で示すような、ケース本体１の前端寄りの第２通信位置との間で、変位可能に構成されている。
【００２３】
図３に示すように、各軸２０・２１は、上下ケース１ａ・１ｂのそれぞれから内向きに対向状に突設された上下一対の柱体２６・２６であり、その対向間隙内にガイドローラ２２・２３が回転自在に装着されている。ガイドローラ２２・２３は、円柱状のプラスチック成形品であり、その外周面の上下方向中央部に、無端ベルト２５を受け入れる溝２７を備える。かくして、無端ベルト２５は、両ガイドローラ２２・２３間に巻き掛けられた状態において、図２に示すごとく、ガイドローラ２２・２３の外周面に沿う前後の半円弧部と、これら半円弧部の間を繋ぐ左右の直線部とを有する前後横長形状となる。
【００２４】
メモリーカートリッジＭは、非接触型であって、絶縁性を有する横長四角形の基板３０と、これの一側面に配置したＩＣチップ３１と、ＩＣチップ３１の周囲を囲むように基板３０に配置された図外のアンテナとからなる。メモリーカートリッジＭは、両ガイドローラ２２・２３の間に巻装された無端ベルト２５の右側の直線部上、すなわち内側の直線部上の所定位置に、基板３０の板面が垂直になる姿勢で、しかもＩＣチップ３１がケース内方（図示例では右方向）を指向する姿勢でメモリーホルダー３２を介して装着されている。
【００２５】
図１ないし図３において、符号３３は無端ベルト２５上におけるメモリーカートリッジＭの対称位置に装着固定されたスライダー（係合部材）を示す。スライダー３３は、無端ベルト２５に不離一体的に装着固定されるとともに、ケース本体１の左側壁７に前後方向に長く開設された溝３５内でスライド自在に装着されており、無端ベルト２５の回転に伴って、溝３５に沿って前後方向にスライド移動できる。スライダー３３は、無端ベルト２５に面接触する主面壁３６と、該主面壁３６の外側寄りに平行状に設けられた副面壁３７と、これら主面壁３６と副面壁３７とを繋ぐ連結壁３８とを備える断面Ｈ字状のプラスチック成形品であり、主面壁３６の上下端から無端ベルト２５側に突出形成された掛止爪３９で、該無端ベルト２５の所定位置に装着固定されている。副面壁３７の盤面中央には、後述のテープドライブ４７側の操作部材で係合捕捉される円柱状の操作突起４０が、外向きに突設されている。
【００２６】
図４および図５において、符号４２は、ライブラリーマシーン４３のハンド部を示す。ハンド部４２は、上下のハンドル４５・４５と、これらを連結する連結部４６とからなり、このハンド部４２で複数のテープカートリッジが収納されたラックから、ひとつのテープカートリッジを取り出して、これをテープドライブ４７のカートリッジ装填口４８に装填する。ハンド部４２は、ケース本体１の後端寄りの左右方向中央部を、上下方向の外側から挟着保持する。ハンド部４２の連結部４６の左端面からは、治具４９が片持ち連出されており、この治具４９にメモリーリーダＲ１が設けられている。
【００２７】
図５に示すように、テープドライブ４７のカートリッジ装填口４８の内部には、該装填口４８から差し込み装填されたテープカートリッジを受け止め支持するローディング枠５０が設けられており、このローディング枠５０の内奥の左側前端にメモリーリーダＲ２が組み付けられている。
【００２８】
図７に示すように、ローディング枠５０のカートリッジ装填口４８に臨む開口近傍には、テープカートリッジのテープドライブ４７への差し込み装填操作時に、スライダー３３を係合捕捉して、メモリーカートリッジＭを変位移動操作するための操作部材５２が、該カートリッジ装填口４８の内部空隙に向かう内向きに突設されている。つまり、テープカートリッジの装填操作時におけるスライダー３３の移動軌跡に臨むように、操作部材５２が配されている。図６および図７に示すように、かかる操作部材５２は、ローディング枠５０の側壁５３を内向きに切り起こし形成してなるものであり、スライダー３３の操作突起４０を上下方向から挟持保持する二本の弾性腕５５を備えるＵ字状に形成されている。これら弾性腕５５・５５の間は、操作突起４０の外形形状と略一致する部分円弧状の凹部５６とされている。
【００２９】
次に、テープドライブ４７へのテープカートリッジの差し込み装填動作に伴う、変位機構１９によるメモリーカートリッジＭの変位動作について説明する。まず、ライブラリーマシーン４３のハンド部４２が、複数のテープが収納されたラックから、ひとつのテープカートリッジを取り出す。この状態においてメモリーカートリッジＭは、図１において実線で示すように、ケース本体１の後端寄りの第１通信位置にあり、メモリーカートリッジＭと無端ベルト２５上の対称位置にあるスライダー３３は、ケース本体１の前端寄りの位置にある。
【００３０】
かかる第１通信位置にあるときは、メモリーカートリッジＭとメモリーリーダＲ１とは極めて近い位置にあるため、両者は良好な無線接続状態を確立し、したがってメモリーリーダＲ１がメモリーカートリッジＭ内の管理情報などを読み出すことで、ライブラリーマシーン４３は、テープカートリッジの記録内容等を把握できる。
【００３１】
次に、ライブラリーマシーンに４３より、テープカートリッジがテープドライブ４７内に装填されると、スライダー３３がテープドライブ４７側の操作部材５２に係合捕捉される。その状態から、さらにテープカートリッジをテープドライブ４７内へ差し込み装填すると、テープカートリッジの全体は、テープドライブ４７内へ移動し、相対的にスライダー３３は溝３５内をケース本体１の後端に向かって移動することとなる。かかるスライダー３３の後向きの移動により、無端ベルト２５が、図１において矢印で示すように反時計まわりに回転され、これに伴って、メモリーカートリッジＭは実線で示す第１通信位置から、仮想線で示す第２通信位置に変位移動する。
【００３２】
かかる第２通信位置にあるときは、図５に示すように、メモリーカートリッジＭとメモリーリーダＲ２とは正対する位置関係にあるため、メモリーリーダＲ２がメモリーカートリッジＭとの間で無線接続状態を確立し、これにてテープドライブ４７は、メモリーカートリッジＭ内に記憶のディレクトリ情報や管理情報等の各種情報を読み書きする。
【００３３】
メモリーカートリッジＭは、無端ベルト２５に接着剤や粘着テープ等で固定することができる。操作部材５２の形状、該操作部材５２によるスライダー３３の係合捕捉構造は、上記実施形態に挙げたものに限られない。
【図面の簡単な説明】
【００３４】
【図１】本発明に係るデータカートリッジの要部の内部平面図
【図２】本発明に係るデータカートリッジの内部平面図
【図３】図２のＡ−Ａ線断面図
【図４】ライブラリーマシーンによるデータカートリッジの捕捉状態を示す斜視図
【図５】テープドライブ内におけるテープカートリッジの状態を示す平面図
【図６】ドライブ装置の要部の側面図
【図７】図６のＢ−Ｂ線断面図
【符号の説明】
【００３５】
１  ケース本体
３  情報記録媒体（テープ）
２０  軸
２１  軸
２２  ガイドローラ
２３  ガイドローラ
３３  係合部材（スライダー）
３５  溝
４２  ハンド部
４３  ライブラリーマシーン
４７  ドライブ装置（テープドライブ）
４８  カートリッジ装填口
５２  操作部材
Ｍ  メモリーカートリッジ
Ｒ１  ライブラリーマシーン側のメモリーリーダ
Ｒ２  テープドライブ側のメモリーリーダ
【図１】
2005293625.tif 000003
【図２】
2005293625.tif 000004
【図３】
2005293625.tif 000005
【図４】
2005293625.tif 000006
【図５】
2005293625.tif 000007
【図６】
2005293625.tif 000008
【図７】
2005293625.tif 000009